(57)【要約】      （修正有）【課題】簡単に且つ適切な強度で装着者の地毛を引っ張ることで顔の皮膚を引き伸ばすフェイスリフトアップ装置及びかつらを提供する。【解決手段】装着者の地毛を引っ張ることで顔の皮膚を引き伸ばすフェイスリフトアップ装置１であって、地毛を挟持する位置と挟持しない位置とに反転する挟持部１１，２１を一端側に有する、第１の挟持具１０及び第２の挟持具２０を備える。第１及び第２の挟持具は、連結位置を調整可能に互いに着脱自在に連結される連結部１２，２２を他端側に有する。第１及び第２の挟持具は、挟持部と連結部との間に位置する弾性部１３，２３を更に有し、弾性部は、挟持部と連結部とが互いに離隔する方向と互いに接近する方向とに伸縮するのが好ましい。【選択図】図１
0003193121.tif 000002
【実用新案登録請求の範囲】
【請求項１】
装着者の地毛を引っ張ることで顔の皮膚を引き伸ばすフェイスリフトアップ装置であって、
前記地毛を挟持する位置と挟持しない位置とに反転する挟持部を一端側に有する、第１の挟持具及び第２の挟持具を備え、
前記第１の挟持具及び前記第２の挟持具は、連結位置を調整可能に互いに着脱自在に連結される連結部を他端側に有する、
ことを特徴とするフェイスリフトアップ装置。
【請求項２】
前記第１の挟持具及び前記第２の挟持具は、前記挟持部と前記連結部との間に位置する弾性部を更に有し、
前記弾性部は、前記挟持部と前記連結部とが互いに離隔する方向と互いに接近する方向とに伸縮する、
ことを特徴とする請求項１記載のフェイスリフトアップ装置。
【請求項３】
前記第１の挟持具の前記弾性部及び前記第２の挟持具の前記弾性部は、それぞれ一対の帯状弾性体を有し、
前記第１の挟持具の前記一対の帯状弾性体は、互いに間隔を隔てて設けられ、前記第１の挟持具の長手方向に直交する方向における前記挟持部の一端側と他端側とに固定され、
前記第２の挟持具の前記一対の帯状弾性体は、互いに間隔を隔てて設けられ、前記第２の挟持具の長手方向に直交する方向における前記挟持部の一端側と他端側とに固定されている、
ことを特徴とする請求項２記載のフェイスリフトアップ装置。
【請求項４】
請求項１から請求項３のいずれか１項記載のフェイスリフトアップ装置と、
前記フェイスリフトアップ装置を保持するかつらベースと、
前記かつらベースに植毛された毛髪と、
を備えることを特徴とするかつら。
【考案の詳細な説明】
【技術分野】
【０００１】
本考案は、装着者の地毛を引っ張ることで顔の皮膚を引き伸ばすフェイスリフトアップ装置、及び、このフェイスリフトアップ装置を備えるかつらに関する。
【背景技術】
【０００２】
従来、装着者の地毛を引っ張ることで顔の皮膚を引き伸ばすフェイスリフトアップ装置が知られている。
このようなフェイスリフトアップ装置としては、装着者の地毛を挟持するための櫛歯を有する左右一対のクリップと、これらのクリップを引き寄せた状態で保持する紐とから構成され、紐の長さを調整可能なフェイスリフトアップ装置が知られている（例えば、特許文献１参照）。
【０００３】
また、他のフェイスリフトアップ装置としては、芯体及び外装体により毛髪を挟んだクリップと、中間部分に面チャックを有するリフトバンドとにより構成されるフェイスリフトアップ装置が知られている（例えば、特許文献２参照）。
【先行技術文献】
【特許文献】
【０００４】
【特許文献１】特許第４５３６７７２号公報
【特許文献２】特許第３９９０２００号公報
【考案の概要】
【考案が解決しようとする課題】
【０００５】
ところで、上記のようなフェイスリフトアップ装置では、顔の皮膚を引き伸ばして顔のシワや弛みを解消する観点では地毛を強く引っ張ることが望ましいが、地毛を強く引っ張り過ぎると地毛を傷めたり装着者が不快に感じたりすることになる。一方、地毛を引っ張る力が弱いと、顔のシワや弛みを十分に解消することができない。
【０００６】
このように、地毛を引っ張る力は適切な強度であることが望ましいが、フェイスリフトアップ装置を装着する際には、ただでさえ地毛を掴むなどの作業を要するため、更に地毛を引っ張る強度を調整する作業を行うのは容易ではない。
【０００７】
この点、紐の長さを調整可能な上記のフェイスリフトアップ装置では、紐の長さを調整する作業に非常に手間がかかる。また、芯体と外装体との間に地毛を挟む上記のフェイスリフトアップ装置では、地毛を芯体と外装体との間に挟む作業に非常に手間がかかる。
【０００８】
本考案の目的は、簡単に且つ適切な強度で装着者の地毛を引っ張ることで顔の皮膚を引き伸ばすことである。
【課題を解決するための手段】
【０００９】
１つの観点では、フェイスリフトアップ装置は、装着者の地毛を引っ張ることで顔の皮膚を引き伸ばすフェイスリフトアップ装置であって、前記地毛を挟持する位置と挟持しない位置とに反転する挟持部を一端側に有する、第１の挟持具及び第２の挟持具を備え、前記第１の挟持具及び前記第２の挟持具は、連結位置を調整可能に互いに着脱自在に連結される連結部を他端側に有する。
【００１０】
また、前記フェイスリフトアップ装置において、前記第１の挟持具及び前記第２の挟持具は、前記挟持部と前記連結部との間に位置する弾性部を更に有し、前記弾性部は、前記挟持部と前記連結部とが互いに離隔する方向と互いに接近する方向とに伸縮するとよい。
【００１１】
また、前記フェイスリフトアップ装置において、前記第１の挟持具の前記弾性部及び前記第２の挟持具の前記弾性部は、それぞれ一対の帯状弾性体を有し、前記第１の挟持具の前記一対の帯状弾性体は、互いに間隔を隔てて設けられ、前記第１の挟持具の長手方向に直交する方向における前記挟持部の一端側と他端側とに固定され、前記第２の挟持具の前記一対の帯状弾性体は、互いに間隔を隔てて設けられ、前記第２の挟持具の長手方向に直交する方向における前記挟持部の一端側と他端側とに固定されているとよい。
【００１２】
他の観点では、かつらは、前記フェイスリフトアップ装置と、前記フェイスリフトアップ装置を保持するかつらベースと、前記かつらベースに植毛された毛髪と、を備える。
【考案の効果】
【００１３】
本考案によれば、簡単に且つ適切な強度で装着者の地毛を引っ張ることで顔の皮膚を引き伸ばすことができる。
【図面の簡単な説明】
【００１４】
【図１】本考案の一実施の形態に係るフェイスリフトアップ装置を示す平面図である。
【図２】本考案の一実施の形態に係るフェイスリフトアップ装置を示す底面図である。
【図３】本考案の一実施の形態における第１の挟持具を示す平面図である。
【図４】本考案の一実施の形態における第１の挟持具の挟持部を示す拡大平面図である。
【図５】本考案の一実施の形態における第１の挟持具の連結部を示す拡大平面図である。
【図６】本考案の一実施の形態における第２の挟持具の挟持部を示す拡大底面図である。
【図７】本考案の一実施の形態における第２の挟持具の連結部を示す拡大底面図である。
【図８】本考案の一実施の形態に係るかつらを示す左側面図である。
【図９】本考案の一実施の形態の第１変形例における連結部の概略構成を示す平面図である。
【図１０】本考案の一実施の形態の第２変形例における連結部の概略構成を示す平面図である。
【考案を実施するための形態】
【００１５】
以下、本考案の実施の形態に係るフェイスリフトアップ装置及びかつらについて、図面を参照しながら説明する。
図１は、本考案の一実施の形態に係るフェイスリフトアップ装置１を示す平面図である。
【００１６】
図２は、本考案の一実施の形態に係るフェイスリフトアップ装置１を示す底面図である。
図３は、本考案の一実施の形態における第１の挟持具１０を示す平面図である。
【００１７】
図４は、本考案の一実施の形態における第１の挟持具１０の挟持部１１を示す拡大平面図である。
図５は、本考案の一実施の形態における第１の挟持具１０の連結部１２を示す拡大平面図である。
【００１８】
図６は、本考案の一実施の形態における第２の挟持具２０の挟持部２１を示す拡大底面図である。
図７は、本考案の一実施の形態における第２の挟持具２０の連結部２２を示す拡大底面図である。
【００１９】
図１に示すフェイスリフトアップ装置１は、第１の挟持具１０と、第２の挟持具２０と、を備える。詳しくは後述するが、フェイスリフトアップ装置１は、装着者の地毛を引っ張ることで顔の皮膚を引き伸ばす。
【００２０】
第１の挟持具１０は、図３に示すように、挟持部１１と、連結部１２と、弾性部１３と、を有する。
同様に、第２の挟持具２０は、挟持部２１と、連結部２２と、弾性部２３と、を有する。
【００２１】
挟持部１１，２１は、第１の挟持具１０又は第２の挟持具２０の長手方向（矢印Ｄ１）の一端側に配置されている。図４及び図６に示すように、挟持部１１，２１は、矩形枠１１ａ，２１ａと、複数の櫛歯１１ｂ，２１ｂと、を含む。
【００２２】
矩形枠１１ａ，２１ａは、後述する複数の櫛歯１１ｂ，２１ｂとの間に装着者の地毛を挟持する位置と地毛を挟持しない位置とに厚み方向に反転する。このように、挟持部１１，２１は、装着者の地毛を挟持する位置と挟持しない位置とに反転するものであればよい。
【００２３】
複数の櫛歯１１ｂ，２１ｂは、第１の挟持具１０又は第２の挟持具２０の長手方向（矢印Ｄ１）の端部側の１辺から対向する１辺側に延びる。なお、複数の櫛歯１１ｂ，２１ｂは、第１の挟持具１０又は第２の挟持具２０の長手方向（矢印Ｄ１）に直交する方向（矢印Ｄ２）における挟持部１１又は挟持部２１の一端側と他端側とに亘って設けられている。
【００２４】
図５及び図７に示す連結部１２，２２は、第１の挟持具１０又は第２の挟持具２０の長手方向（矢印Ｄ１）のうち挟持部１１，２１とは反対の他端側に配置されている。第１の挟持具１０の連結部１２及び第２の挟持具２０の連結部２２は、連結部１２，２２の連結位置を調整可能に互いに着脱自在に連結される例えば面ファスナーである。
【００２５】
なお、連結部１２，２２としては、連結位置を調整可能に互いに着脱自在に連結されるものであれば面ファスナーに限らず、例えば、図９に示す第１変形例の一方の連結部２２−１のフック２２−１ａ（背面側に位置するため点線で図示）と、このフック２２−１ａが引っ掛けられる他方の連結部１２−１の複数の輪１２−１ａとの組み合わせとしてもよい。この組み合わせによっても、フック２２−１ａを引っ掛ける輪１２−１ａの位置を調整することによって、連結部１２−１，２２−１の連結位置を調整することができる。
【００２６】
また、連結部１２，２２としては、図１０に示す第２変形例の一方の連結部２２−２のピン２２−２ａと、このピン２２−２ａが挿入される他方の連結部１２−２の複数の孔１２−２ａとの組み合わせとしてもよい。この組み合わせによっても、ピン２２−２ａを挿入する孔１２−２ａの位置を調整することによって、連結部１２−２，２２−２の連結位置を調整することができる。なお、図１０に示す連結部２２−２は、ピン２２−２ａの他に、このピン２２−２ａを取り囲むように位置し連結部１２の先端部分により貫通される枠２２−２ｂと、連結部１２−２の先端を通す通し部２２−２ｃと、を有する。
【００２７】
図１〜図７に示す弾性部１３，２３は、挟持部１１，２１と連結部１２，２２との間に位置し、挟持部１１，２１と連結部１２，２２とが互いに離隔する方向と互いに接近する方向とに伸縮する。
【００２８】
例えば、弾性部１３，２３は、それぞれ一対の帯状弾性体１３ａ，１３ｂ，２３ａ，２３ｂを有する。
図１〜図５に示すように、第１の挟持具１０の一対の帯状弾性体１３ａ，１３ｂは、互いに間隔を隔てて設けられ、第１の挟持具１０の長手方向（矢印Ｄ１）に直交する方向（矢印Ｄ２）における挟持部１１の一端側と他端側とに固定されている。
【００２９】
同様に、図１、図２、図６、及び図７に示すように、第２の挟持具２０の一対の帯状弾性体２３ａ，２３ｂは、互いに間隔を隔てて設けられ、第２の挟持具２０の長手方向（矢印Ｄ１）に直交する方向（矢印Ｄ２）における挟持部２１の一端側と他端側とに固定されている。
【００３０】
なお、帯状弾性体１３ａ，１３ｂ，２３ａ，２３ｂは、厚み方向よりも幅方向に長い形状であれば、断面形状は矩形に限らない。例えば、本実施の形態の帯状弾性体１３ａ，１３ｂ，２３ａ，２３ｂは、孔のあいた円形部分が連接された形状である。
【００３１】
また、弾性部１３，２３に代えて非伸縮部であるベルトなどを配置してもよい。その場合にも、挟持部１１，２１と連結部１２，２２との間隔は、連結部１２，２２により調整することができる。
【００３２】
図８は、本考案の一実施の形態に係るかつら１００を示す左側面図である。
かつら１００は、上述のフェイスリフトアップ装置１と、かつらベース１０１と、毛髪１０２と、を備える。かつら１００は、かつら装着者の頭部の全体に配置される全頭かつらであってもよいし、かつら装着者の頭部の一部に配置される部分かつらであってもよい。
【００３３】
かつらベース１０１は、例えば、ネットや人工皮膚であり、フェイスリフトアップ装置１を保持する保持部１０１ａを例えば内側（装着者２００の頭皮側）に有する。
保持部１０１ａは、例えば間隔を隔てて複数配置された輪状の部材であり、輪の中にフェイスリフトアップ装置１を通されることで、フェイスリフトアップ装置１を保持する。なお、保持部１０１ａとしては、フェイスリフトアップ装置１の連結部１２，２２の面ファスナーとは異なる部分に設けられた面ファスナーに連結される面ファスナーなどの他の保持部であってもよい。
【００３４】
毛髪１０２は、かつらベース１０１に植毛されている。毛髪１０２は、例えば人工毛髪であるが、加工人毛などの人工毛髪以外の毛髪であってもよい。なお、図８において、毛髪１０２は、かつらベース１０１に１本（毛髪１０２は結び目を挟んだ両側に延びるため２本に見える。）のみ図示するが、実際には、複数本配置され、例えば密集するように位置する。
【００３５】
一例ではあるが、フェイスリフトアップ装置１を装着する場合には、装着者は、フェイスリフトアップ装置１がかつら１００に保持された状態で、連結部１２，２２を互いに連結し、挟持部１１，２１により地毛を挟持する。この後、地毛を引っ張る強度が強い場合や弱い場合には、連結部１２，２２による連結位置を変更する。その後、装着者は、かつら固定用の地毛挟持具（例えば、挟持部１１や挟持部２１のように櫛歯１１ｂ，２１ｂを有する部材）により、かつら１００を頭部に完全に装着する。
【００３６】
以上説明した本実施の形態では、第１の挟持具１０及び第２の挟持具２０は、地毛を挟持する位置と挟持しない位置とに反転する挟持部１１，２１を一端側に有し、連結位置を調整可能に互いに着脱自在に連結される連結部１２，２２を他端側に有する。
【００３７】
そのため、互いに着脱自在に連結される連結部１２，２２によって連結位置を調整することで、地毛を引っ張る強度が適切な強度となるようにフェイスリフトアップ装置１の長さを調整する作業が簡単になる。また、挟持部１１，２１が反転することで簡単に地毛を挟持することができる。
【００３８】
よって、本実施の形態によれば、簡単に且つ適切な強度で装着者２００の地毛を引っ張ることで顔の皮膚を引き伸ばすことができる。
また、連結部１２，２２として面ファスナーを用いた場合、第１の挟持具１０と第２の挟持具２０とを直線状に並べるのではなく、互いのなす角度を調整して連結することができ、装着者２００の地毛を所望の方向に引っ張りやすくすることができる。
【００３９】
また、本実施の形態では、第１の挟持具１０及び第２の挟持具２０は、挟持部１１，２１と連結部１２，２２との間に位置する弾性部１３，２３を更に有する。この弾性部１３，２３は、挟持部１１，２１と連結部１２，２２とが互いに離隔する方向と互いに接近する方向とに伸縮する。そのため、地毛を引っ張る強度が適切な強度となるようにフェイスリフトアップ装置１の長さを調整する作業がより一層簡単になる。
【００４０】
また、本実施の形態では、第１の挟持具１０の弾性部１３及び第２の挟持具２０の弾性部２３は、それぞれ一対の帯状弾性体１３ａ，１３ｂ，２３ａ，２３ｂを有する。第１の挟持具１０の一対の帯状弾性体１３ａ，１３ｂは、互いに間隔を隔てて設けられ、第１の挟持具１０の長手方向（矢印Ｄ１）に直交する方向（矢印Ｄ２）における挟持部１１の一端側と他端側とに固定されている。また、第２の挟持具２０の一対の帯状弾性体２３ａ，２３ｂは、互いに間隔を隔てて設けられ、第２の挟持具２０の長手方向（矢印Ｄ１）に直交する方向（矢印Ｄ２）における挟持部２１の一端側と他端側とに固定されている。そのため、装着者２００の頭部に帯状弾性体１３ａ，１３ｂ，２３ａ，２３ｂが接触することで、装着者２００の装着感を向上させることができる。また、第１の挟持具１０の一対の帯状弾性体１３ａ，１３ｂのそれぞれ及び第２の挟持具２０の一対の帯状弾性体２３ａ，２３ｂのそれぞれが独立して伸縮することで挟持部１１，２１の傾きに応じて適切な強度で地毛を引っ張ることができる。
【００４１】
また、本実施の形態では、かつら１００は、フェイスリフトアップ装置１を保持するかつらベース１０１を備える。そのため、フェイスリフトアップ装置１をかつら１００によって覆い隠すことができるとともに、フェイスリフトアップ装置１を例えばかつら１００の内側に簡単に装着することができる。
【符号の説明】
【００４２】
１      フェイスリフトアップ装置
１０      第１の挟持具
１１      挟持部
１１ａ      矩形枠
１１ｂ      櫛歯
１２      連結部
１３      弾性部
１３ａ      帯状弾性体
１３ｂ      帯状弾性体
２０      第２の挟持具
２１      挟持部
２１ａ      矩形枠
２１ｂ      櫛歯
２２      連結部
２３      弾性部
２３ａ      帯状弾性体
２３ｂ      帯状弾性体
１００      かつら
１０１      かつらベース
１０１ａ      保持部
１０２      毛髪
２００      装着者
【図８】
0003193121.tif 000003
【図９】
0003193121.tif 000004
【図１０】
0003193121.tif 000005
【図１】
0003193121.tif 000006
【図２】
0003193121.tif 000007
【図３】
0003193121.tif 000008
【図４】
0003193121.tif 000009
【図５】
0003193121.tif 000010
【図６】
0003193121.tif 000011
【図７】
0003193121.tif 000012